(57)【要約】  インターフェース調整方法は、もし開始操作が検出された場合、ユーザの開始操作に応答して待機状態から作業状態にまたは電源オフ状態から作業状態に切り替え、端末の現在のシステム時刻を決定するステップと、時刻および照明陰影角度の対応表を調べ、端末の現在のシステム時刻に対応する照明陰影角度を決定するステップと、端末の現在のシステム時刻に対応する照明陰影角度に従って、端末によって現在表示されるインターフェースを調整するステップとを含み、その結果、端末は、システム時刻に従ってインターフェースを調整することができる。
2017519265.tif 000002
【特許請求の範囲】
【請求項１】
プロセッサ実施ステップを含む、インターフェース調整方法であって、前記ステップは、
開始操作が検出された場合に、ユーザの前記開始操作に応答して待機状態から作業状態にまたは電源オフ状態から作業状態に切り替え、端末の現在のシステム時刻を決定するステップと、
時刻および照明陰影角度の対応表を調べ、前記端末の前記現在のシステム時刻に対応する照明陰影角度を決定するステップと、
前記端末の前記現在のシステム時刻に対応する前記照明陰影角度に従って、前記端末によって現在表示されているインターフェースを調整するステップとを含む、インターフェース調整方法。
【請求項２】
前記端末の前記現在のシステム時刻に対応する前記照明陰影角度に従って、前記端末によって現在表示されるインターフェースを調整する前記ステップは、
前記端末の前記現在のシステム時刻に対応する前記照明陰影角度に従って、前記端末によって現在表示される前記インターフェースの照明陰影角度パラメータを更新するステップと、
前記インターフェースの前記更新された照明陰影角度パラメータに従って、前記端末によって現在表示されている前記インターフェースをリフレッシュするステップとを含む、請求項1に記載の方法。
【請求項３】
前記端末によって現在表示されている前記インターフェースが、前記端末の主題インターフェースである場合、前記インターフェースの前記更新された照明陰影角度パラメータに従って、前記端末によって現在表示されている前記インターフェースをリフレッシュする前記ステップは、
前記インターフェースの前記更新された照明陰影角度パラメータに従って前記端末の前記現在の主題インターフェースの照明陰影をリフレッシュするステップを含む、請求項2に記載の方法。
【請求項４】
前記方法はさらに、
前記主題インターフェースが、アプリケーションアイコンを備えている場合、前記インターフェースの前記更新された照明陰影角度パラメータに従って前記インターフェース上の前記アプリケーションアイコンの照明陰影をリフレッシュするステップを含む、請求項3に記載の方法。
【請求項５】
前記端末によって現在表示されている前記インターフェースが、アプリケーションのインターフェースである場合、前記インターフェースの前記更新された照明陰影角度パラメータに従って、前記端末によって現在表示されている前記インターフェースをリフレッシュする前記ステップは、
前記インターフェースの前記更新された照明陰影角度パラメータに従って前記アプリケーションの前記インターフェースをリフレッシュするステップを含む、請求項2に記載の方法。
【請求項６】
少なくとも1つのプロセッサを備える端末であって、前記プロセッサは、
開始操作が検出された場合、ユーザの前記開始操作に応答して待機状態から作業状態にまたは電源オフ状態から作業状態に切り替わり、前記端末の現在のシステム時刻を決定し、
開始および決定ユニットが、前記端末の前記現在のシステム時刻を決定した後、時刻および照明陰影角度の対応表を調べ、前記端末の前記現在のシステム時刻に対応する照明陰影角度を決定し、かつ
探索ユニットが、前記端末の前記現在のシステム時刻に対応する前記照明陰影角度を決定した後、前記端末の前記現在のシステム時刻に対応する前記照明陰影角度に従って、前記端末によって現在表示されるインターフェースを調整するための命令を実行する、端末。
【請求項７】
前記プロセッサはさらに、
前記探索ユニットが、前記端末の前記現在のシステム時刻に対応する前記照明陰影角度を決定した後、前記端末の前記現在のシステム時刻に対応する前記照明陰影角度に従って、前記端末によって現在表示される前記インターフェースの照明陰影角度パラメータを更新し、かつ
更新ユニットが、前記端末によって現在表示される前記インターフェースの前記照明陰影角度パラメータを更新した後、前記インターフェースの前記更新された照明陰影角度パラメータに従って、前記端末によって現在表示される前記インターフェースをリフレッシュするための命令を実行する、請求項6に記載の端末。
【請求項８】
前記端末によって現在表示される前記インターフェースが、前記端末の主題インターフェースである場合、前記プロセッサはさらに、前記インターフェースの前記更新された照明陰影角度パラメータに従って前記端末の前記現在の主題インターフェースの照明陰影をリフレッシュするための命令を実行する、請求項7に記載の端末。
【請求項９】
前記主題インターフェースが、アプリケーションアイコンを備えている場合、前記プロセッサはさらに、前記インターフェースの前記更新された照明陰影角度パラメータに従って前記インターフェース上の前記アプリケーションアイコンの照明陰影をリフレッシュするための命令を実行する、請求項8に記載の端末。
【請求項１０】
前記端末によって現在表示される前記インターフェースが、アプリケーションのインターフェースである場合、前記プロセッサはさらに、前記インターフェースの前記更新された照明陰影角度パラメータに従って前記アプリケーションの前記インターフェースをリフレッシュするための命令を実行する、請求項7に記載の端末。
【請求項１１】
端末によって実行されたとき、前記端末に、
開始操作が検出された場合、ユーザの前記開始操作に応答して待機状態から作業状態にまたは電源オフ状態から作業状態に切り替えさせ、前記端末の現在のシステム時刻を決定させ、
時刻および照明陰影角度の対応表を調べさせ、前記端末の前記現在のシステム時刻に対応する照明陰影角度を決定させ、かつ
前記端末の前記現在のシステム時刻に対応する前記照明陰影角度に従って、前記端末によって現在表示されるインターフェースを調整させる、1つまたは複数の命令をその中に保存した、非一時的コンピュータ可読記憶媒体。
【請求項１２】
前記端末の前記現在のシステム時刻に対応する前記照明陰影角度に従って、前記端末によって現在表示されているインターフェースを調整するための前記命令は、
前記端末の前記現在のシステム時刻に対応する前記照明陰影角度に従って、前記端末によって現在表示される前記インターフェースの照明陰影角度パラメータを更新し、かつ
前記インターフェースの前記更新された照明陰影角度パラメータに従って、前記端末によって現在表示される前記インターフェースをリフレッシュするための命令を備える、請求項11に記載のコンピュータ可読記憶媒体。
【請求項１３】
前記端末によって現在表示される前記インターフェースが、前記端末の主題インターフェースである場合、前記インターフェースの前記更新された照明陰影角度パラメータに従って、前記端末によって現在表示されている前記インターフェースをリフレッシュするための前記命令は、
前記インターフェースの前記更新された照明陰影角度パラメータに従って前記端末の前記現在の主題インターフェースの照明陰影をリフレッシュするための命令を備える、請求項12に記載のコンピュータ可読記憶媒体。
【請求項１４】
端末によって実行された場合、前記端末に、
もし前記主題インターフェースが、アプリケーションアイコンを備えている場合、前記インターフェースの前記更新された照明陰影角度パラメータに従って前記インターフェース上の前記アプリケーションアイコンの照明陰影をリフレッシュさせる命令をさらに備える、請求項13に記載のコンピュータ可読記憶媒体。
【請求項１５】
前記端末によって現在表示される前記インターフェースが、アプリケーションのインターフェースである場合、前記インターフェースの前記更新された照明陰影角度パラメータに従って、前記端末によって現在表示されている前記インターフェースをリフレッシュするための前記命令は、
前記インターフェースの前記更新された照明陰影角度パラメータに従って前記アプリケーションの前記インターフェースをリフレッシュするための命令を備える、請求項12に記載のコンピュータ可読記憶媒体。
【発明の詳細な説明】
【技術分野】
【０００１】
本開示は、インターフェース調整方法および端末に関する。
【背景技術】
【０００２】
伝統的な小画面キーパッド携帯電話の市場の段階的衰退とともに、大画面タッチスクリーン式携帯電話、特にスマートフォンが、市場において人気が高まっている。大画面タッチスクリーン式携帯電話の市場を獲得することが、現在すべての携帯電話製造業者の主要目的になっており、製品の競争力を改善することは、疑いなく携帯電話製造業者が大画面タッチスクリーン式携帯電話の市場を獲得するための主要な方法である。技術の発展につれて、ユーザ体験を改善することは、携帯電話製品の競争力を改善するのに非常に重要な役割を果たすこと、および携帯電話のマンマシンインタラクション(man-machine interaction)インターフェース、すなわち携帯電話のUIインターフェースは、携帯電話のユーザ体験の観点から重要な役割を果たすことが、深く認識されている。携帯電話のUIインターフェースのデザインの核心は、使用時にユーザを満足させるためにユーザフレンドリーなことである。
【０００３】
現在の市場における主流の任意のアプリケーションについては、携帯端末であろうとパーソナルコンピュータ端末であろうと、そのUIインターフェースは、大部分は静止表示を提示し、ユーザが、長時間の使用後に眼が疲労した場合、それは一般に、スキンを交換することによって解決される。
【０００４】
現在は、いくつかの動的効果が、いくつかのアプリケーションのUIインターフェースについて達成され、それによって動的効果をループさせることによってインターフェースを鮮明にするという目的を達成する。しかしながら、動的効果をループさせることは、多くの電力を消費し、端末の待機時間を短くする。
【発明の概要】
【課題を解決するための手段】
【０００５】
例となるインターフェース調整方法は、
開始操作が、検出された場合、ユーザの開始操作に応答して待機状態から作業状態にまたは電源オフ状態から作業状態に切り替え、端末の現在のシステム時刻を決定するステップと、
時刻および照明陰影角度の対応表を調べ、端末の現在のシステム時刻に対応する照明陰影角度を決定するステップと、
端末の現在のシステム時刻に対応する照明陰影角度に従って、端末によって現在表示されるインターフェースを調整するステップとを含む。
【０００６】
例となる端末は、
開始操作が、検出された場合、ユーザの開始操作に応答して待機状態から作業状態にまたは電源オフ状態から作業状態に切り替え、端末の現在のシステム時刻を決定するように構成された、開始および決定ユニットと、
開始および決定ユニットが、端末の現在のシステム時刻を決定した後、時刻および照明陰影角度の対応表を調べ、端末の現在のシステム時刻に対応する照明陰影角度を決定するように構成された、探索ユニットと、
探索ユニットが、端末の現在のシステム時刻に対応する照明陰影角度を決定した後、端末の現在のシステム時刻に対応する照明陰影角度に従って、端末によって現在表示されるインターフェースを調整するように構成された、調整ユニットとを含む。
【図面の簡単な説明】
【０００７】
【図１】本開示の一実施形態によるインターフェース調整方法の概略図である。
【図２】本開示の一実施形態によるインターフェース調整方法の別の概略図である。
【図３ａ】本開示の一実施形態による調整後の携帯電話のインターフェースの概略図である。
【図３ｂ】本開示の一実施形態による調整後の携帯電話のインターフェースの別の概略図である。
【図３ｃ】本開示の一実施形態による調整後の携帯電話のインターフェースの別の概略図である。
【図４】本開示の一実施形態による端末の概略的構造図である。
【図５】本開示の一実施形態による端末の別の概略的構造図である。
【発明を実施するための形態】
【０００８】
本開示の実施形態は、インターフェース調整方法および端末を提供し、それらは、インターフェースの動的効果をループさせることが、多くの電力を消費するという、既存の技術における問題を解決するために使用される。
【０００９】
図1を参照すると、それは、本開示の一実施形態によるインターフェース調整方法の一実施形態を例示し、次のステップを含む。
【００１０】
101:開始操作が、検出された場合、ユーザの開始操作に応答して待機状態から作業状態にまたは電源オフ状態から作業状態に切り替え、端末の現在のシステム時刻を決定するステップ。
【００１１】
本開示のこの実施形態では、端末は、携帯電話、タブレットコンピュータ、またはパーソナルコンピュータなどの、携帯端末であってもよい。
【００１２】
本開示のこの実施形態では、端末が待機状態にあるとき、端末は、電力消費を避けるためにインターフェースを調整せず、端末が作業状態にあるとき、より良い体験をユーザに提供するために、端末は、リアルタイムでインターフェースを調整してもよく、または間隔を置いてインターフェースを調整してもよい。
【００１３】
本開示のこの実施形態では、端末が、待機状態にあるまたは電源オフ状態にあるとき、ユーザの開始操作が、検出された場合、端末は、開始操作に応答して待機状態から作業状態にまたは電源オフ状態から作業状態に切り替わり、端末の現在のシステム時刻を決定し、端末の現在のシステム時刻は、端末の内部時刻装置によって提供される。開始操作は、端末が、待機状態または電源オフ状態にあるとき、作業状態に切り替わるように端末をトリガーするユーザの操作を指す。
【００１４】
本開示のこの実施形態では、端末にはあらかじめ、端末が待機状態または電源オフ状態から作業状態に切り替わるための切り替えボタンまたは他の切り替え可動部が提供されることに留意すべきである。例えば、ユーザは、携帯電話上のホームボタンまたは携帯電話の開始ボタンを押してもよく、ユーザが、携帯電話上のホームボタンまたは携帯電話の開始ボタンを押した後、ホームボタンまたは開始ボタンが端末のプロセッサに入力される信号を生成し、端末のプロセッサは信号を受け取った後、携帯電話を待機状態から作業状態に切り替える。別の例として、ユーザは、待機状態にあるIPADの表示インターフェースをクリックしてもよく、表示インターフェースは、クリック動作によって生成される信号をIPADのプロセッサに伝送し、待機状態にあるIPADのプロセッサは、信号を受け取り、次いでIPADを待機状態から作業状態に切り替える。実際のアプリケーションでは、異なるデバイスが、異なる仕方でトリガーされ、それらは、本明細書では限定されない。別の例として、ユーザが、携帯電話が電源オフ状態にあるときに携帯電話の側面にある開始ボタンを押し下げると、開始ボタンは、電源オン信号を生成し、電源オン信号は、開始するように携帯電話をトリガーし、それによってブートプロセスが実施され、その結果携帯電話は、電源オフ状態から作業状態に切り替わる。
【００１５】
本開示のこの実施形態でのインターフェースは、ユーザインターフェース(UI)であってもよいことに留意すべきである。
【００１６】
102:時刻および照明陰影角度の対応表を調べ、端末の現在のシステム時刻に対応する照明陰影角度を決定するステップ。
【００１７】
本開示のこの実施形態では、時刻および照明陰影角度の対応表は、端末内にプリセットされ、端末が、端末の現在のシステム時刻を取得した後、端末は、時刻および照明陰影角度の対応表を調べ、端末の現在のシステム時刻に対応する照明陰影角度を決定する。例えば、時刻が、昼の12:00である場合、時刻および照明陰影角度の対応表を調べることによって、昼の12:00における照明陰影角度は、95度であると決定され、時刻が、6:00PMである場合、時刻および照明陰影角度の対応表を調べることによって、6:00PMにおける照明陰影角度は、180度であると決定される。実際のアプリケーションでは、時刻および照明陰影角度の対応表は、特定の要件に従って設定されてもよく、それは、本明細書では限定されない。
【００１８】
103:端末の現在のシステム時刻に対応する照明陰影角度に従って、端末によって現在表示されるインターフェースが調整されるステップ。
【００１９】
本開示のこの実施形態では、端末の現在のシステム時刻に対応する照明陰影角度を見いだした後、端末は、端末の現在のシステム時刻に対応する照明陰影角度に従って、端末によって現在表示されているインターフェースを調整する。
【００２０】
本開示のこの実施形態では、ユーザの開始操作が検出された場合、端末は、開始操作に応答して待機状態から作業状態にまたは電源オフ状態から作業状態に切り替わり、端末の現在のシステム時刻を決定し、端末が、端末の現在のシステム時刻を決定した後、端末は、時刻および照明陰影角度の対応表を調べ、端末の現在のシステム時刻に対応する照明陰影角度を決定し、端末の現在のシステム時刻に対応する照明陰影角度に従って、端末によって現在表示されるインターフェースを調整し、その結果端末は、インターフェースの動的効果をループさせることが多くの電力を消費するという問題を避けるために、システム時刻に従ってインターフェースを調整することができ、それによって電気エネルギーを効果的に節約する。
【００２１】
本開示のこの実施形態での技術的解決法をより良く理解するために、図2を参照すると、それは、本開示の一実施形態によるインターフェース調整方法の一実施形態を例示しており、次のステップを含む。
【００２２】
201:開始操作が検出された場合、ユーザの開始操作に応答して待機状態から作業状態にまたは電源オフ状態から作業状態に切り替え、端末の現在のシステム時刻を決定するステップ。
【００２３】
本開示のこの実施形態では、端末が待機状態にあるとき、端末は、電力の消費を避けるためにインターフェースを調整せず、端末が作業状態にあるとき、より良い体験をユーザに提供するために、端末は、リアルタイムでインターフェースを調整してもよく、または間隔を置いてインターフェースを調整してもよい。
【００２４】
本開示のこの実施形態では、端末が待機状態にあるか、または電源オフ状態にあるとき、ユーザの開始操作が、検出された場合、端末は、開始操作に応答して待機状態から作業状態にまたは電源オフ状態から作業状態に切り替わり、端末の現在のシステム時刻を決定し、端末の現在のシステム時刻は、端末の内部時刻装置によって提供される。
【００２５】
本開示のこの実施形態では、端末はあらかじめ、端末が待機状態または電源オフ状態から作業状態に切り替わるための切り替えボタンまたは他の切り替え可動部が提供されることに留意すべきである。例えば、ユーザは、携帯電話上のホームボタンまたは携帯電話の開始ボタンを押してもよく、ユーザが、携帯電話上のホームボタンまたは携帯電話の開始ボタンを押した後、ホームボタンまたは開始ボタンは、端末のプロセッサに入力される信号を生成し、端末のプロセッサは、信号を受け取った後、携帯電話を待機状態から作業状態に切り替える。別の例として、ユーザは、待機状態にあるIPADの表示インターフェースをクリックしてもよく、表示インターフェースは、クリック動作によって生成される信号をIPADのプロセッサに伝送し、待機状態にあるIPADのプロセッサは、信号を受け取り、次いでIPADを待機状態から作業状態に切り替える。実際のアプリケーションでは、異なるデバイスが、異なる仕方でトリガーされ、それらは、本明細書では限定されない。別の例として、ユーザが、携帯電話が電源オフ状態にあるときに携帯電話の側面にある開始ボタンを押し下げたとき、開始ボタンは、電源オン信号を生成し、電源オン信号は、開始するように携帯電話をトリガーし、それによってブートプロセスを実施し、その結果携帯電話は、電源オフ状態から作業状態に切り替わる。
【００２６】
本開示のこの実施形態では、端末は、その中に時刻装置を含み、端末は、時刻装置を使用することによって端末の現在のシステム時刻を決定してもよい。
【００２７】
202:時刻および照明陰影角度の対応表を調べ、端末の現在のシステム時刻に対応する照明陰影角度を決定するステップ。
【００２８】
本開示のこの実施形態では、時刻および照明陰影角度の対応表は、端末内にプリセットされ、端末が、端末の現在のシステム時刻を取得した後、端末は、時刻および照明陰影角度の対応表を調べ、端末の現在のシステム時刻に対応する照明陰影角度を決定する。例えば、時刻が、昼の12:00である場合、時刻および照明陰影角度の対応表を調べることによって、昼の12:00における照明陰影角度は、95度であると決定され、時刻が、6:00PMである場合、時刻および照明陰影角度の対応表を調べることによって、6:00PMにおける照明陰影角度は、180度であると決定される。実際のアプリケーションでは、時刻および照明陰影角度の対応表は、特定の要件に従って設定されてもよく、それは、本明細書では限定されない。
【００２９】
203:端末の現在のシステム時刻に対応する照明陰影角度に従って、端末によって現在表示されるインターフェースの照明陰影角度パラメータを更新するステップ。
【００３０】
本開示のこの実施形態では、端末の現在のシステム時刻に対応する照明陰影角度を取得した後、端末は、その角度に従って、端末によって現在表示されるインターフェースの照明陰影角度パラメータを更新する、すなわち端末内で構成されるインターフェースの照明陰影角度パラメータを変更する。
【００３１】
204:インターフェースの更新された照明陰影角度パラメータに従って、端末によって現在表示されるインターフェースをリフレッシュするステップ。
【００３２】
本開示のこの実施形態では、端末によって現在表示されるインターフェースの照明陰影角度パラメータを更新した後、端末は、インターフェースの更新された照明陰影角度パラメータに従って、端末によって現在表示されるインターフェースをリフレッシュする。
【００３３】
本開示のこの実施形態では、端末によって現在表示されているインターフェースが、端末の主題(subject)インターフェースである場合、端末の更新された照明陰影角度パラメータに従って、端末によって現在表示されているインターフェースをリフレッシュすることは、具体的には、インターフェースの更新された照明陰影角度パラメータに従って端末の現在の主題インターフェースの照明陰影をリフレッシュすること、および主題インターフェースが、アプリケーションアイコンを含む場合、インターフェースの更新された照明陰影角度パラメータに従ってインターフェース上のアプリケーションアイコンの照明陰影をさらにリフレッシュすることであってもよい。
【００３４】
本開示のこの実施形態では、端末によって現在表示されているインターフェースが、アプリケーションのインターフェースである場合、インターフェースの更新された照明陰影角度パラメータに従って、端末によって現在表示されるインターフェースをリフレッシュすることは、具体的には、インターフェースの更新された照明陰影角度パラメータに従ってアプリケーションのインターフェースをリフレッシュすることであってもよい。
【００３５】
本開示のこの実施形態では、もしユーザの開始操作が、検出された場合、端末は、開始操作に応答して待機状態から作業状態にまたは電源オフ状態から作業状態に切り替わり、端末の現在のシステム時刻を決定し、端末は、端末内にプリセットされる時刻および照明陰影角度の対応表を調べ、端末の現在のシステム時刻に対応する照明陰影角度を決定し、端末の現在のシステム時刻に対応する照明陰影角度に従って、端末によって現在表示されるインターフェースの照明陰影角度パラメータを更新し、インターフェースの更新された照明陰影角度パラメータに従って、端末によって現在表示されるインターフェースをリフレッシュし、その結果端末は、インターフェースの動的効果をループさせることが多くの電気を消費するという問題を避けるために、時刻の変化に従ってインターフェースを調整することができ、それによって電気エネルギーを効果的に節約する。
【００３６】
本開示のこの実施形態での技術的解決法をより良く理解するために、特定のアプリケーションシナリオが、次の通りに述べられる。
【００３７】
ユーザが、携帯電話をオンにするとき、もし携帯電話が、携帯電話の現在のシステム時刻が6:00AMであると決定した場合、調整後の携帯電話のインターフェースは、図3aに示されるそれのようであってもよく、もし携帯電話が、携帯電話の現在のシステム時刻が昼の12:00であると決定した場合、調整後の携帯電話のインターフェースは、図3bに示されるそれのようであってもよく、もし携帯電話が、携帯電話の現在のシステム時刻が6:00PMであると決定した場合、調整後の携帯電話のインターフェースは、図3cに示されるそれのようであってもよい。
【００３８】
図4を参照すると、それは、本開示の一実施形態による端末の構造の一実施形態を例示し、
もし開始操作が、検出された場合、ユーザの開始操作に応答して待機状態から作業状態にまたは電源オフ状態から作業状態に切り替わり、端末の現在のシステム時刻を決定するように構成される、開始および決定ユニット401と、
開始および決定ユニット401が、端末の現在のシステム時刻を決定した後、時刻および照明陰影角度の対応表を調べ、端末の現在のシステム時刻に対応する照明陰影角度を決定するように構成される、探索ユニット402と、
探索ユニット402が、端末の現在のシステム時刻に対応する照明陰影角度を決定した後、端末の現在のシステム時刻に対応する照明陰影角度に従って、端末によって現在表示されるインターフェースを調整するように構成される、調整ユニット403とを含む。
【００３９】
本開示のこの実施形態では、端末内の開始および決定ユニット401は、端末の現在のシステム時刻を決定し、次いで探索ユニット402は、端末の現在のシステム時刻に対応する照明陰影角度を決定するために時刻および照明陰影角度の対応表を調べ、最後に、調整ユニット403は、端末の現在のシステム時刻に対応する照明陰影角度に従って、端末によって現在表示されるインターフェースを調整する。
【００４０】
本開示のこの実施形態では、もしユーザの開始操作が検出された場合、開始および決定ユニット401は、開始操作に応答して待機状態から作業状態にまたは電源オフ状態から作業状態に切り替わり、端末はさらに、端末の現在のシステム時刻を決定し、時刻および照明陰影角度の対応表を調べ、端末の現在のシステム時刻に対応する照明陰影角度を決定し、端末の現在のシステム時刻に対応する照明陰影角度に従って、端末によって現在表示されるインターフェースを調整し、その結果端末は、インターフェースの動的効果をループさせることが多くの電力を消費するという問題を避けるために、システム時刻に従ってインターフェースを調整することができ、それによって電気エネルギーを効果的に節約する。
【００４１】
本開示のこの実施形態での技術的解決法をより良く理解するために、図5を参照すると、それは、本開示の一実施形態による端末の構造の一実施形態を例示し、
図4に示される実施形態による開始および決定ユニット401、探索ユニット402、ならびに調整ユニット403を含み、その技術内容は、図4に示される実施形態において述べられるそれに似ており、それは、本明細書では限定されない。
【００４２】
本開示のこの実施形態では、開始および決定ユニット401は具体的には、もし端末が、待機状態から作業状態に切り替わった場合、端末の現在のシステム時刻を決定する、またはもしプリセット期間が、端末がインターフェースを最後に調整してから切れている場合、端末の現在のシステム時刻を決定するように構成される。
【００４３】
本開示のこの実施形態では、調整ユニット403は、
探索ユニット402が、端末の現在のシステム時刻に対応する照明陰影角度を決定した後、端末の現在のシステム時刻に対応する照明陰影角度に従って、端末によって現在表示されているインターフェースの照明陰影角度パラメータを更新するように構成される、更新ユニット501と、
更新ユニット501が、端末によって現在表示されているインターフェースの照明陰影角度パラメータを更新した後、インターフェースの更新された照明陰影角度パラメータに従って、端末によって現在表示されるインターフェースをリフレッシュするように構成される、リフレッシュユニット502とを含む。
【００４４】
本開示のこの実施形態では、もし端末によって現在表示されるインターフェースが、端末の主題インターフェースである場合、リフレッシュユニット502は具体的には、インターフェースの更新された照明陰影角度パラメータに従って端末の現在の主題インターフェースの照明陰影をリフレッシュするように構成され、もし主題インターフェースが、アプリケーションアイコンを含む場合、リフレッシュユニット502はさらに、インターフェースの更新された照明陰影角度パラメータに従ってインターフェース上のアプリケーションアイコンの照明陰影をリフレッシュするように構成される。
【００４５】
本開示のこの実施形態では、もし端末によって現在表示されるインターフェースが、アプリケーションのインターフェースである場合、リフレッシュユニット502は具体的には、インターフェースの更新された照明陰影角度パラメータに従ってアプリケーションのインターフェースをリフレッシュするように構成される。
【００４６】
本開示のこの実施形態では、もしユーザの開始操作が検出された場合、開始および決定ユニット401は、開始操作に応答して待機状態から作業状態にまたは電源オフ状態から作業状態に切り替わり、端末の現在のシステム時刻を決定し、次いで、探索ユニット402は、時刻および照明陰影角度の対応表を調べ、端末の現在のシステム時刻に対応する照明陰影角度を決定し、次いで、調整ユニット403内の更新ユニット501は、端末の現在のシステム時刻に対応する照明陰影角度に従って、端末によって現在表示されるインターフェースの照明陰影角度パラメータを更新し、リフレッシュユニット502は、インターフェースの更新された照明陰影角度パラメータに従って、端末によって現在表示されるインターフェースをリフレッシュする。リフレッシュユニット502によって、インターフェースの更新された照明陰影角度パラメータに従って、端末によって現在表示されるインターフェースをリフレッシュすることは、具体的には、もし端末によって現在表示されるインターフェースが端末の主題インターフェースである場合、リフレッシュユニット502が、インターフェースの更新された照明陰影角度パラメータに従って、端末の現在の主題インターフェースの照明陰影をリフレッシュし、もし主題インターフェースが、アプリケーションアイコンを含む場合、リフレッシュユニット502はさらに、インターフェースの更新された照明陰影角度パラメータに従って、インターフェース上のアプリケーションアイコンの照明陰影をリフレッシュすることを含む。もし端末によって現在表示されるインターフェースが、アプリケーションのインターフェースである場合、リフレッシュユニット502は、インターフェースの更新された照明陰影角度パラメータに従ってアプリケーションのインターフェースをリフレッシュする。
【００４７】
本開示のこの実施形態では、もしユーザの開始操作が検出された場合、端末は、開始操作に応答して待機状態から作業状態にまたは電源オフ状態から作業状態に切り替わり、端末の現在のシステム時刻を決定し、端末は、端末内にプリセットされた時刻および照明陰影角度の対応表を調べ、端末の現在のシステム時刻に対応する照明陰影角度を決定し、端末の現在のシステム時刻に対応する照明陰影角度に従って、端末によって現在表示されるインターフェースの照明陰影角度パラメータを更新し、インターフェースの更新された照明陰影角度パラメータに従って、端末によって現在表示されるインターフェースをリフレッシュし、その結果端末は、インターフェースの動的効果をループさせることが多くの電力を消費するという問題を避けるために、時刻の変化に従ってインターフェースを調整することができ、それによって電気エネルギーを効果的に節約する。
【００４８】
当業者は、前述の実施形態の方法におけるステップのすべてまたはいくつかが、関連ハードウェアに命令するプログラムによって実施されてもよいことを理解することができる。プログラムは、コンピュータ可読記憶媒体に保存されていてもよい。記憶媒体は、読み出し専用メモリ、磁気ディスク、光ディスク、または同様のものであってもよい。
【００４９】
本開示において提供されるインターフェース調整方法および端末は、上で詳細に述べられ、当業者のために、変形が、本開示の実施形態の趣旨に従って特定の実施方式および応用範囲についてなされてもよい。要約すると、本明細書の内容は、本開示への制限と解釈されるべきでない。
【符号の説明】
【００５０】
401  開始および決定ユニット
402  探索ユニット
403  調整ユニット
501  更新ユニット
502  リフレッシュユニット
【図１】
2017519265.tif 000003
【図２】
2017519265.tif 000004
【図３ａ】
2017519265.tif 000005
【図３ｂ】
2017519265.tif 000006
【図３ｃ】
2017519265.tif 000007
【図４】
2017519265.tif 000008
【図５】
2017519265.tif 000009
【国際調査報告】
2017519265.tif 000010
2017519265.tif 000011